(57)【要約】      （修正有）【課題】立体複合角度ゲージを提供する。【解決手段】主体と横方向支持棒、半円尺、半円ゲージ及び補助尺が含有される角度ゲージが備えられ、主体の側辺において、切縁が設けられ、切縁の内側に、第１の目盛りが形成され、主体の中央に、第１の案内レールが設けられ、第１の案内レールの末端に、貫通穴が形成され、貫通穴の外周に、第２の目盛りが設けられ、切縁に対応する側辺に、第２の案内レールが設けられ、横方向支持棒において、中央に、軸心穴と円弧状突出が形成され、円弧状突出の上に、角度調整槽と角度目盛りが設けられ、横方向支持棒の一端に、突出部が形成され、後方の両側に、抵当ブロックが設けられ、半円尺の一側に、結合シートが延ばし、もう一側に、軸心穴と角度目盛りが設けられ、半円ゲージにおいて、中央に貫通穴が設けられ、中心の近くに、目盛りが設けられる抵当部が形成され、補助尺にも、中央に位置し、貫通穴が設けられた固定座と一体成型される目盛りがある。【選択図】図１
0003134809.tif 000002
【実用新案登録請求の範囲】
【請求項１】
主体と横方向支持棒、半円尺、半円ゲージ及び補助尺が含有される角度ゲージであって、主体の側辺において、上段に、切縁が設けられ、切縁の内側に、第１の目盛りが形成され、また、主体の中央に、第１の案内レールが設けられ、第１の案内レールの末端に、貫通穴が形成され、貫通穴の外周に、第２の目盛りが設けられ、また、切縁に対応する側辺に、第２の案内レールが設けられ、横方向支持棒において、中央に、軸心穴と円弧状突出が形成され、円弧状突出の上に、角度調整槽と角度目盛りが設けられ、透明座に設置されたポインターに合わせて、角度を調整でき、また、横方向支持棒の一端に、突出部が形成され、後方の両側に、抵当ブロックが設けられ、半円尺が、横方向支持棒と直交し、その一側に、結合シートを延ばし、もう一側に、軸心穴と角度目盛りが設けられ、半円ゲージにおいて、中央に貫通穴が設けられ、中心の近くに、目盛りが設けられる抵当部が形成され、補助尺にも、中央に位置し、貫通穴が設けられた固定座と一体成型される目盛りがあることを特徴とする、立体複合角度ゲージ。
【請求項２】
主体の上方において、中央に穴が形成されることを特徴とする請求項１に記載の立体複合角度ゲージ。
【請求項３】
穴に、水平泡が嵌入固定されることを特徴とする請求項２に記載の立体複合角度ゲージ。
【請求項４】
横方向支持棒の抵当ブロックに、貫通穴が設けられることを特徴とする請求項１に記載の立体複合角度ゲージ。
【請求項５】
貫通穴に、補強棒が、挿入固定されることを特徴とする請求項４に記載の立体複合角度ゲージ。
【請求項６】
半円尺と半円ゲージとが、横方向支持棒の左側や右側或いは適当な位置に設置されることを特徴とする請求項１に記載の立体複合角度ゲージ。
【考案の詳細な説明】
【技術分野】
【０００１】
本考案は、丸太小屋を構築する時、画を書いてのこぎりでほぞとほぞ穴切り出して、ひさしとビームコラムとが、接合されて固定されるための立体複合角度ゲージに関し、特に、その測定角度が任意に調整でき、使用する時、より便利的になるものに関する。
【背景技術】
【０００２】
丸太小屋を構築する時、ビームコラムとひさしに、それぞれ、ほぞとほぞ穴が形成され、ジョグルジョイントを用いる方法により、ひさしをビームコラムの上に固定し、そのため、工事を行う前、ビームコラムとひさしについて、測定し、十字線等を画き、これにより、のこぎりで切る時、ずれが発生することを防止でき、また、のこぎりで切った後、正確に角度を持つ、ほぞとほぞ穴が形成され、一般として、工事を実行する時、定規を、測定と画きの工具とするが、定規によっては、角度を変化することができないため、斜角を有する、ほぞとほぞ穴の十字線を画くことが必要である時、手で、輔助計量器具を利用することにより行われ、非常に不便であり、また、定規によっては、角度の測定や画きができなく、階段やひさしの縁の削り角に適用できない。
【考案の開示】
【考案が解決しようとする課題】
【０００３】
本考案の主な目的は、その主体と横方向支持棒、半円尺及び半円ゲージが、ともに調整でき、測定や画きの角度を変化可能であるため、丸太小屋の構築する時のジョグルジョイントに適用すると、より便利的且つより容易的である立体複合角度ゲージを提供する。
【課題を解決するための手段】
【０００４】
請求項１の考案は、主体と横方向支持棒、半円尺、半円ゲージ及び補助尺が含有される角度ゲージであって、主体の側辺において、上段に、切縁が設けられ、切縁の内側に、第１の目盛りが形成され、また、主体の中央に、第１の案内レールが設けられ、第１の案内レールの末端に、貫通穴が形成され、貫通穴の外周に、第２の目盛りが設けられ、また、切縁に対応する側辺に、第２の案内レールが設けられ、横方向支持棒において、中央に、軸心穴と円弧状突出が形成され、円弧状突出の上に、角度調整槽と角度目盛りが設けられ、透明座に設置されたポインターに合わせて、角度を調整でき、また、横方向支持棒の一端に、突出部が形成され、後方の両側に、抵当ブロックが設けられ、半円尺が、横方向支持棒と直交し、その一側に、結合シートを延ばし、もう一側に、軸心穴と角度目盛りが設けられ、半円ゲージにおいて、中央に貫通穴が設けられ、中心の近くに、目盛りが設けられる抵当部が形成され、補助尺にも、中央に位置し、貫通穴が設けられた固定座と一体成型される目盛りがあることを特徴とする立体複合角度ゲージである。
【０００５】
請求項２の考案は、主体の上方において、中央に穴が形成されることを特徴とする請求項１に記載の立体複合角度ゲージである。
【０００６】
請求項３の考案は、穴に、水平泡が嵌入固定されることを特徴とする請求項２に記載の立体複合角度ゲージである。
【０００７】
請求項４の考案は、横方向支持棒の抵当ブロックに、貫通穴が設けられることを特徴とする請求項１に記載の立体複合角度ゲージである。
【０００８】
請求項５の考案は、貫通穴に、補強棒が、挿入固定されることを特徴とする請求項４に記載の立体複合角度ゲージである。
【０００９】
請求項６の考案は、半円尺と半円ゲージとが、横方向支持棒の左側や右側或いは適当な位置に設置されることを特徴とする請求項１に記載の立体複合角度ゲージである。
【考案を実施するための最良の形態】
【００１０】
図１から図１２を参照しながら、本考案は、主体１０と横方向支持棒２０、半円尺３０、半円ゲージ４０及び補助尺５０が備えられる。
【００１１】
図１と図２を参照しながら、主体１０の一側や両側において、上段に、切縁１０１が設けられ、切縁１０１の内側に、第１の目盛り１０２が形成され、また、主体１０において、上方の中央に、水平泡１１が嵌入固定されるための穴１０３が形成され、穴１０３の下方に、直ぐに第１の案内レール１０４が設けられ、そして、主体１０の下方において、第１の案内レール１０４の末端に、矩形状の貫通穴１０５が形成され、貫通穴１０５の外周に、第２の目盛り１０６が設けられ、また、切縁１０１に対向する側辺に、第２の案内レール１０７が設けられ、横方向支持棒２０において、中央に、軸心穴２０１と円弧状突出２０２が形成され、円弧状突出２０２の上に、角度調整槽２０３と角度目盛り２０４が設けられ、これにより、透明座２１に設置されたポインター２１１に合わせて、ユーザーが、横方向支持棒２０と主体１０との間の角度を分かり、また、横方向支持棒２０の一側端に、突出部２０５が形成され、後方の両側に、貫通穴２０７を有する抵当ブロック２０６が設けられ、これにより、補強棒２２が、貫通穴２０７に挿入固定され、半円尺３０と横方向支持棒２０と直交になり、また、その一側から結合シート３１を延ばし、もう一側に、軸心穴３２と角度目盛り３３が設けられ、半円ゲージ４０において、中央に、貫通穴４１が設けられ、中心の近くに抵当部４２が延ばし、また、該抵当部４２に、目盛り４３が設けられ、補助尺５０にも、中央に貫通穴５３が形成された固定座５２と一体成型である目盛り５１がある。
【００１２】
図１を参照しながら、組立てる時、Ｔ型ボルト６０を主体１０の第１の案内レール１０４と横方向支持棒２０の軸心穴２０１、角度調整槽２０３及び透明座２１を通して、ナット６１により、横方向支持棒２０を主体１０の第１の案内レール１０４上に位置付け、また、該ナット６１を弛めると、横方向支持棒２０が、主体１０上を変位や角度変更（例えば、図３のように）させることができ、また、横方向支持棒２０が位置付けられた後、補強棒２２を、横方向支持棒２０の貫通穴２０７に挿入固定することにより、横方向支持棒２０の径方向強度が向上され、また、半円ゲージ４０と半円尺３０とは、ナット６１をその貫通穴４１と軸心穴３２を通すことにより枢着され、半円尺３０は、結合シート３１により、横方向支持棒２０の突出部２０５に抵当するように結合され、そのため、半円尺３０が、半円ゲージ４０と一緒に横方向支持棒２０の上に位置付けられ、最後に、Ｔ型ボルト６０を、主体１０の第２の案内レール１０７と補助尺５０の貫通穴５３を通して、補助尺５０も、ナット６１により、主体１０の第２の案内レール１０７の上に位置付けられる。
【００１３】
図４と図５を参照しながら、丸太小屋を構築する時、ひさし７０に、ビームコラム７１がジョグルジョイントされて固定されるほぞ穴７０１を形成する場合、横方向支持棒２０上のナット６１を弛めて、横方向支持棒２０が、軸心穴２０１を中心として、回転できるようになり、それを回転する時、ユーザーが、ポインター２１１と角度目盛り２０４とを一致することにより、即時に角度を調整でき、そのため、横方向支持棒２０の回転過ぎや不足を防止でき、そして、調整終了後、弛んだナット６１を再び締まると、横方向支持棒２０の抵当ブロック２０６が、ひさし７０の斜面に抵当するようになり、ユーザーが、主体１０とひさし７０との間に形成された夾角で、簡単に十字線を画き、或いは、貫通穴１０５の縁により、のこぎりで切る時の位置合わせができるため、直接に、ビームコラム７１がジョグルジョイントされるためのほぞ穴７０１が形成され、また、主体１０と補助尺５０の上に、それぞれ、第１の目盛り１０２と第２の目盛り１０６及び目盛り５１が形成されるため、画く時やのこぎりで切る時、ユーザーがより便利に距離を測定でき、また、ほぞ穴７０１が、両ひさし７０の対向端に形成される時、図６のように、対応するジョグルジョイントに合わせることができる。
【００１４】
図７から図１０を参照しながら、本考案は、ひさし７０の縁にも適用でき、補助尺５０とひさし７０との間に形成された夾角が、ひさし７０の縁に十字線を画くことに、また、のこぎりで切ることにより削り角７０２を形成することに適用されることができ、また、図１１を参照しながら、屋根のビームコラム７２にも適用でき、半円尺３０と半円ゲージ４０とを利用して、該屋根のビームコラム７２について、Ｚ軸方向の測定や画きができ、そして、図１２のように、階段の両側の起立板７３にも適用でき、階段状の欠け口７３１を画くことやのこぎりで切ることが便利であり、そして、平ら板を跨るように設置すると、階段が形成される。
【００１５】
その半円尺３０と半円ゲージ４０が、横方向支持棒２０の左側や右側或いは適当な位置に設置されても、同じ効果が得られ、左利きや右利きのユーザーでも、楽に操作できる。
【００１６】
本考案に係わる立体複合角度ゲージによれば、次の利点が得られ、１、その主体１０と横方向支持棒２０、半円尺３０及び半円ゲージ４０が、ともに、調整でき、測定や画きの角度を変化可能であるため、丸太小屋を構築するためのジョグルジョイントに適用される時、より便利且つ容易であり、２、ジョグルジョイントに適用できるだけでなく、階段やひさし７０の縁等の位置に適用でき、幅広く利用でき、一つの道具に複数の機能が実現される効果が得られる。
【図面の簡単な説明】
【００１７】
【図１】本考案の立体組立てる図
【図２】本考案の立体分解図
【図３】本考案の調整動作図
【図４】本考案でひさしの上にほぞ穴を形成する時の使用状態図
【図５】本考案でひさしの上にほぞ穴を形成した後、ジョグルジョイントする時の使用状態図の１
【図６】本考案でひさしの上にほぞ穴を形成した後、ジョグルジョイントする時の使用状態図の２
【図７】本考案をひさし縁に適用する時の使用状態図の１
【図８】本考案をひさし縁に適用する時の使用状態図の２
【図９】本考案をひさし縁に適用する時の使用状態図の３
【図１０】本考案をひさし縁に適用する時の使用状態図の４
【図１１】本考案を屋根のビームコラムのＺ軸に適用する時の使用状態図
【図１２】本考案を階段に適用する時の使用状態図
【符号の説明】
【００１８】
１０    主体
１０１  切縁
１０２  第１の目盛り
１０３   穴
１０４  第１の案内レール
１０５  貫通穴
１０６  第２の目盛り
１０７  第２の案内レール
１１    水平泡
２０    横方向支持棒
２０１  軸心穴
２０２  円弧状突出
２０３  角度調整槽
２０４  角度目盛り
２０５  突出部
２０６  抵当ブロック
２０７  貫通穴
２１    透明座
２１１  ポインター
２２    補強棒
３０    半円尺
３１    結合シート
３２    軸心穴
３３    角度目盛り
４０    半円ゲージ
４１    貫通穴
４２    抵当部
４３    目盛り
５０    補助尺
５１    目盛り
５２    固定座
５３    貫通穴
６０    Ｔ型ボルト
６１    ナット
７０    ひさし
７０１  ほぞ穴
７０２  削り角
７１    ビームコラム
７２    屋根のビームコラム
７３    起立板
７３１  欠け口
【図１】
0003134809.tif 000003
【図２】
0003134809.tif 000004
【図３】
0003134809.tif 000005
【図４】
0003134809.tif 000006
【図５】
0003134809.tif 000007
【図６】
0003134809.tif 000008
【図７】
0003134809.tif 000009
【図８】
0003134809.tif 000010
【図９】
0003134809.tif 000011
【図１０】
0003134809.tif 000012
【図１１】
0003134809.tif 000013
【図１２】
0003134809.tif 000014